(57)【要約】【課題】ＤＶテープに対してＨＤ方式によるＭＰＥＧ圧縮信号とＳＤ方式によるＤＶ圧縮信号を同時に記録し、自在に選択して再生できるようにする。【解決手段】磁気テープが巻回給送される回転ドラムに１ベース２チップ型の磁気ヘッド装置を２つ搭載し、各磁気ヘッド装置の２つのヘッドチップのうち一方のヘッドチップＨＤ（Ｅ）、ＨＤ（Ｏ）にＨＤ方式によるＭＰＥＧ圧縮デジタル信号を供給し、他方のヘッドチップＳＤ（Ｅ）、ＳＤ（Ｏ）にＳＤ方式によるＤＶ圧縮デジタル信号を供給する。そして、この両者の信号トラックを本例で固有の記録トラックパターンによって１つのＤＶテープ内に形成し、同時記録可能とした。また、特殊再生時には、ＤＶ圧縮された信号が記録されているトラック上のトレース信号をデコードして出力する。【選択図】        図１
2004295957.tif 000002
【特許請求の範囲】
【請求項１】
磁気テープが巻回給送される回転ドラムと、
前記回転ドラムに搭載されて前記磁気テープにＨＤ方式のＭＰＥＧ圧縮信号による記録トラックを形成する第１アジマス角を有する第１磁気ヘッドと、
前記回転ドラムに搭載されて前記磁気テープにＳＤ方式のＤＶ圧縮信号による記録トラックを形成する第２アジマス角を有する第２磁気ヘッドとを備え、
前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成する、
ことを特徴とする磁気記録再生装置。
【請求項２】
前記回転ドラムに１ベース２チップ型の磁気ヘッド装置を２つ搭載し、各磁気ヘッド装置の２つの磁気ヘッドチップのうち一方の磁気ヘッドチップにＨＤ方式によるＭＰＥＧ圧縮信号を供給し、他方の磁気ヘッドチップにＳＤ方式によるＤＶ圧縮信号を供給することを特徴とする請求項１記載の磁気記録再生装置。
【請求項３】
前記磁気テープがＤＶ規格のテープであることを特徴とする請求項１記載の磁気記録再生装置。
【請求項４】
前記第１磁気ヘッド及び第２磁気ヘッドは記録再生用の磁気ヘッドであることを特徴とする請求項１記載の磁気記録再生装置。
【請求項５】
特殊再生時には、前記ＤＶ圧縮信号が記録されたトラック上のトレース信号をデコードして出力することを特徴とする請求項４記載の磁気記録再生装置。
【請求項６】
前記第１磁気ヘッドによるＨＤ方式のＭＰＥＧ圧縮信号の再生信号と、前記第２磁気ヘッドによるＳＤ方式のＤＶ圧縮信号の再生信号とを選択して出力することを特徴とする請求項４記載の磁気記録再生装置。
【請求項７】
前記第１磁気ヘッドの第１アジマス角と前記第２磁気ヘッドの第２アジマス角は相互に再生不能なアジマス角であることを特徴とする請求項１記載の磁気記録再生装置。
【請求項８】
前記ＭＰＥＧ圧縮信号は、映像データ、音声データ、ＡＵＸデータ、映像サーチデータ、サブコードデータの各データセクタを有することを特徴とする請求項１記載の磁気記録再生装置。
【発明の詳細な説明】
【０００１】
【発明の属する技術分野】
本発明は、高品位なＨＤ（Ｈｉｇｈ  Ｄｅｆｉｎｉｔｉｏｎ  ）方式によるＭＰＥＧ（Ｍｏｖｉｎｇ  Ｐｉｃｔｕｒｅ  Ｅｘｐｅｒｔ  Ｇｒｏｕｐ  ）圧縮信号と従来標準であるＳＤ（Ｓｔａｎｄａｒｄ  Ｄｅｆｉｎｉｔｉｏｎ  ）方式によるＤＶ（Ｄｉｇｉｔａｌ  Ｖｉｄｅｏ  ）圧縮信号の記録、再生を行うことができる磁気記録再生装置に関する。
【０００２】
【従来の技術】
従来より、ＨＤ方式の信号を扱う装置として、ＤＶ規格のフォーマットによる磁気テープ（以下、ＤＶテープという）にＨＤ映像データをＭＰＥＧ圧縮して記録することができる磁気記録装置が提案されている（例えば、特許文献１〜３参照）。
また、ＨＤ方式による記録モードで記録された記録媒体からＳＤ方式による再生モードでの再生を可能とした磁気記録再生装置が提案されている（例えば、特許文献４参照）。
さらに、ＳＤ方式による画像信号とＨＤ方式による画像信号をほぼ同時に入力して記録することを可能とした磁気記録装置が提案されている（例えば、特許文献５参照）。
【０００３】
【特許文献１】
特開２００１−２７５０７６号公報
【特許文献２】
特開２００１−２７５０７７号公報
【特許文献３】
特開２００２−７７７９２号公報
【特許文献４】
特開平６−３３９１１４号公報
【特許文献５】
特開２０００−１２５２４５号公報
【０００４】
【発明が解決しようとする課題】
しかしながら、上述した特許文献１〜３に開示されるように、ＨＤ方式による信号を現行のＤＶテープに記録する場合、ＨＤ方式とＳＤ方式とで記録トラックパターン上の１トラック内のサーボデータのセクタ位置や方式が異なることから、ＨＤ方式による映像信号を記録されたＤＶテープを従来のＤＶ機器で再生すると、画像及び音声が出力されず、無記録テープと誤認識されるという課題がある。
また、ＨＤ方式による信号を現行のＤＶテープに記録する場合、記録トラックパターン上の１トラック内の画像サーチデータのセクタ位置が固定されていることから、特殊再生画像時においても特定のテープ速度でしか画像が出力できず、従来のＤＶ機器のような早送り等で画像確認することができないという課題がある。
さらに、１つのＤＶテープに対してＨＤ方式のみの記録、再生を行うものであるので、このＤＶテープを用いて従来のＤＶ方式による画像を周辺機器に伝送したり、確認や編集行為を行う時に、さまざまなユーザーの使用環境や条件に対してタイムリーに出力することができないという課題がある。
なお、上述した特許文献４、５に開示されるものは、特別なフォーマットを用いて記録や再生を行うものであり、現行のＤＶフォーマットによる磁気テープを用いるものではなく、汎用性や互換性の点で課題を有するものである。
【０００５】
そこで本発明の目的は、１つのＤＶテープに対してＨＤ方式によるＭＰＥＧ圧縮信号とＳＤ方式によるＤＶ圧縮信号を同時に記録し、自在に選択して再生することができる磁気記録再生装置を提供することにある。
【０００６】
【課題を解決するための手段】
本発明は前記目的を達成するため、磁気テープが巻回給送される回転ドラムと、前記回転ドラムに搭載されて前記磁気テープにＨＤ方式のＭＰＥＧ圧縮信号による記録トラックを形成する第１アジマス角を有する第１磁気ヘッドと、前記回転ドラムに搭載されて前記磁気テープにＳＤ方式のＤＶ圧縮信号による記録トラックを形成する第２アジマス角を有する第２磁気ヘッドとを備え、前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成することを特徴とする。
【０００７】
本発明の磁気記録再生装置では、第１磁気ヘッドと第２磁気ヘッドを用いてＨＤ方式のＭＰＥＧ圧縮信号の記録トラックとＳＤ方式のＤＶ圧縮信号による記録トラックが交互に配置された記録トラックパターンを形成するようにしたことから、現行のＤＶテープを使用してＨＤ方式のＭＰＥＧ圧縮信号とＳＤ方式のＤＶ圧縮信号の同時記録が可能となるとともに、再生時にはＨＤ信号とＳＤ信号をリアルタイムで出力することが可能となる。さらに、特殊再生時にも、現行のＤＶ機器と同様の再生が可能となり、画像変位等の確認を行うことができる。
また、上述した記録トラックパターンで記録したＤＶ圧縮信号は、現行のＤＶ機器によってそのまま再生でき、高い互換性を得ることが可能となる。
【０００８】
【発明の実施の形態】
以下、本発明による磁気記録再生装置の実施の形態例について説明する。
本実施の形態例による磁気記録再生装置は、磁気テープが巻回給送される回転ドラムに１ベース２チップ型の磁気ヘッド装置を２つ搭載し、各磁気ヘッド装置の２つのヘッドチップのうち一方のヘッドチップにＨＤ方式によるＭＰＥＧ圧縮デジタル信号を供給し、他方のヘッドチップにＳＤ方式によるＤＶ圧縮デジタル信号を供給する。なお、以下の説明において４つのヘッドをＨＤ（Ｅ）、ＨＤ（Ｏ）、ＳＤ（Ｅ）、ＳＤ（Ｏ）として説明する。ここで（Ｏ）は奇数トラック、（Ｅ）は偶数トラックを示している。
そして、この両者の信号トラックを本例で固有の記録トラックパターンによって１つのＤＶテープ内に形成し、同時記録可能としたものである。
また、特殊再生時には、ＤＶ圧縮された信号が記録されているトラック上のトレース信号をデコードして出力する。
【０００９】
図１は、本発明の実施の形態例による磁気記録再生装置における各ヘッドによる記録トラックとＤＶテープ上の記録トラックパターンを示す説明図である。
また、図２は、図１に示す記録トラックパターンを実現するための回転ドラムのヘッド配置とトラックピッチを示す説明図である。
本例の磁気記録再生装置は、現行のＤＶ機器に使用されているドラム径２１．  ７ｍｍ、テープ巻き付け角度１７４度、テープ相対速度１８．８３１ｍｍの記録系に４つのヘッドＨＤ（Ｅ）、ＨＤ（Ｏ）、ＳＤ（Ｅ）、ＳＤ（Ｏ）を搭載し、これらヘッドＨＤ（Ｅ）、ＨＤ（Ｏ）、ＳＤ（Ｅ）、ＳＤ（Ｏ）によって図１（Ａ）に示す４つのトラックを図１（Ｂ）に示すような記録トラックパターンとしてテープ１００上に形成するものである。
なお、図１（Ａ）は、各記録トラックとドラムの回転角の関係を示し、図１（Ｂ）は、磁気テープ１００上の記録トラックパターンを示しており、矢印ａが磁気テープ１００の進行方向、矢印ｂが磁気テープ１００上のトラック方向を示している。
本例では、図１（Ｂ）に示すように、高品位なＨＤのＭＰＥＧ圧縮されたＲＦ信号と現行ＳＤのＤＶ圧縮されたＲＦ信号のトラックが１つのペアになって記録され、これが２組ずつ繰り返すことにより、記録トラックパターンを形成するものである。
【００１０】
次に、このような記録トラックパターンを実現するためのヘッド構成と仕様、そしてトラックピッチについて説明する。
本例においては、各ヘッドＨＤ（Ｅ）、ＨＤ（Ｏ）、ＳＤ（Ｅ）、ＳＤ（Ｏ）は、それぞれ記録再生を兼用するものであり、１ベース２チップの構成による２つの磁気ヘッド装置１１０Ａ、１１０Ｂの単位として回転ドラム１２０に搭載される。
さらに、この２つの磁気ヘッド装置１１０Ａ、１１０Ｂが１８０度対向に取り付ける構成となる。１ベース２チップの磁気ヘッド装置１１０Ａ、１１０Ｂは、１チップ目がＨＤのＭＰＥＧ圧縮されたＲＦ信号をテープ１００上に記録し、再生時にはこの信号をテープ１００上から抽出する磁気ヘッドＨＤ（Ｅ）、ＨＤ（Ｏ）である。
また、２チップ目が現行ＳＤのＤＶ圧縮されたＲＦ信号をテープ１００上に記録し、再生時にはこの信号をテープ１００上から抽出する磁気ヘッドＳＤ（Ｅ）、ＳＤ（Ｏ）である。
【００１１】
そして、ＳＤのＲＦ信号を伝送手段とする磁気ヘッドＳＤ（Ｅ）、ＳＤ（Ｏ）には、現行ＤＶ方式のアジマス角に準拠し、ヘッド幅が１２μｍの仕様のものを搭載している。
一方、ＨＤのＲＦ信号を伝送手段とする磁気ヘッドＨＤ（Ｅ）、ＨＤ（Ｏ）には、ヘッド幅が１２μｍの仕様とし、ＳＤ方式の磁気ヘッドＳＤ（Ｅ）、ＳＤ（Ｏ）と異なるアジマス角を有するものを搭載している。
これらのヘッドは、現行のＤＶ方式と同様の相対速度と、互いに１８０度対向の磁気ヘッド装置における取り付け位置の相対高さの差によって、図２（Ｂ）に示すように、ＭＰＥＧのＲＦ信号を記録するトラック１０１Ａは７μｍのピッチで形成され、ＤＶのＲＦ信号を記録するトラック１０１Ｂは５．  ５μｍのピッチとして形成される。
【００１２】
次に、図３は、ＨＤのＭＰＥＧのＲＦ信号と現行ＳＤのＤＶのＲＦ信号の１トラック内のデータセクタの構成を示す説明図である。
図３（Ａ）に示すように、ＭＰＥＧのＲＦ信号は、例えば上述した特許文献３に示すものと同様であり、詳細は省略するが、プリアンブル、ＳＳＡ（Ｓｔａｒｔ  Ｓｙｎｃ  Ａｒｅａ）、ＴＩＡ（Ｔｒａｃｋ  Ｉｎｆｏｒｍａｔｉｏｎ  Ａｒｅａ）、ポストアンブルを含む合計３  ５５０ビットのＩＴＩ（Ｉｎｓｅｒｔ  ａｎｄ  Ｔｒａｃｋ  Ｉｎｆｏｒｍａｔｉｏｎ）セクタ２１０と、ビデオ／オーディオ／ＡＵＸデータ／サーチ用映像データの各データが格納される１２８９７５ビットのメインセクタ２２０と、１２５０ビットのサブコードセクタ２３０と、１２００ビットのポストアンブルセクタ２４０と、１２５０ビットのオーバーライトマージン２５０とで構成される。
【００１３】
一方、図３（Ｂ）に示すように、現行ＳＤのＤＶのＲＦ信号は、現行ＤＶ方式のデータセクタに準拠するものであり、詳細は省略するが、プリアンブル、ＳＳＡ（Ｓｔａｒｔ  Ｓｙｎｃ  Ａｒｅａ）、ＴＩＡ（Ｔｒａｃｋ  Ｉｎｆｏｒｍａｔｉｏｎ  Ａｒｅａ  ）、ポストアンブルを含む合計３６００ビットのＩＴＩ（Ｉｎｓｅｒｔ  ａｎｄ  Ｔｒａｃｋ  Ｉｎｆｏｒｍａｔｉｏｎ）セクタ３１０と、６２５ビットのギャップＧ１と、プリアンブル、データ、ポストアンブルを含む合計１１５５０ビットのオーディオセクタ３２０と、７００ビットのギャップＧ２と、プリアンブル、データ、ポストアンブルを含む合計１１３２２５ビットのビデオセクタ３３０と、１５５０ビットのギャップＧ３と、プリアンブル、データ、ポストアンブルを含む合計３７２５（または３６００）ビットのサブコードセクタ３４０と、１２５０ビットのオーバーライトマージン３５０とで構成される。
【００１４】
次に、以上のような１トラック内のデータセクタを本例の記録トラックパターンに形成するためのデジタル記録再生回路について説明する。
図４は、本例の磁気記録再生回路の構成例を示すブロック図である。
図示のように、この記録再生回路は、ＶＤ系の圧縮伸張回路（ＤＶ  Ｅｘｐａｎｄ／Ｃｏｍｐｒｅｓｓｉｏｎ  Ｌｏｇｉｃ）１と、ＶＤ系のエンコーダ／デコーダ回路（ＤＶ  ＥＮＣ／ＤＥＣ  Ｌｏｇｉｃ）３と、ＭＰＥＧ系の圧縮伸張回路（ＭＰＥＧ  Ｅｘｐａｎｄ／Ｃｏｍｐｒｅｓｓｉｏｎ  Ｌｏｇｉｃ）２と、ＭＰＥＧ系のエンコーダ／デコーダ回路（ＭＰＥＧ  ＥＮＣ／ＤＥＣ  Ｌｏｇｉｃ）４と、ＤＶ系とＭＰＥＧ系の合流・分離を行うマルチプレックスＲＦ切替回路（Ｍｕｌｔｉｐｌｅｘ  ＲＦ  Ｓｗｉｔｃｈｅｒ）５と、記録信号及び再生信号の増幅を行う記録再生増幅回路（ＲＥＣ／ＰＢ  ＲＦ  ＡＭＰ）６と、ＲＦバッファ回路（ＲＦ  Ｂｕｆｆｅｒ  ）７、８と、システム全体の制御を行うシステム制御装置（Ｓｙｓｔｅｍ  Ｃｏｎｔｒｏｌ  Ｐｒｏｃｅｓｓｏｒ）９とを有する。
【００１５】
そして、記録時には、外部から入力されるデジタルベースバンド信号が圧縮伸張回路１または２内で圧縮され、図３に示したようなデータセクタとして形成される。そしてエンコーダ／デコーダ回路３、４内でエンコーダ処理され、ＲＦ信号として形成される。
その後、図１及び図２に示したタイミングでＭＰＥＧのＲＦ信号とＤＶのＲＦ信号がマルチプレックスＲＦ切替回路５の切り替え制御によって回転ドラム１２０へ供給される。ここで、マルチプレックスＲＦ切替回路５の切り替え制御はシステム制御装置９によって実行制御される。
さらに、この切り替え制御動作を受けたＲＦ信号は、記録再生増幅回路６の記録増幅回路、ＲＦバッファ回路７、８の記録ＲＦバッファ回路７で信号処理され、テープ１００上に保存される。
【００１６】
一方、再生時には、記録時にテープ１００上に保存されたＲＦ信号が回転ドラム１２０から抽出され、ＲＦバッファ回路７、８の再生ＲＦバッファ回路８と記録再生増幅回路６の再生増幅回路を経由し、ＭＰＥＧ信号とＤＶ信号の各信号処理ブロックへと伝送される。
そして、この再生時に、キー操作等による外部選択手段によってシステム制御装置９に選択信号を送ることにより、ＭＰＥＧ信号やＤＶ信号を選択して再生することが可能である。
すなわち、外部選択手段によってＭＰＥＧ信号を再生する場合は、システム制御装置９によってマルチプレックスＲＦ切替回路５がＭＰＥＧ出力側に切り替えられる。そして、エンコーダ／デコーダ回路内でＭＰＥＧデコード信号処理され圧縮伸張回路でＭＰＥＧ伸張処理をしデジタルベースバンドに変換された後、ＨＤ信号として出力される。
また、外部選択手段によってＤＶ信号を再生する場合は、システム制御装置９によってマルチプレックスＲＦ切替回路５がＤＶ出力側に切り替えられる。そして、エンコーダ／  デコーダ回路内でＤＶデコード信号処理され、圧縮伸張回路でＤＶ伸張処理をし、デジタルベースバンドに変換された後、現行ＳＤ信号として出力される。
【００１７】
次に、ＭＰＥＧ信号をＦＦ（早送り）、ＲＥＷ（早戻し）、及びこれらのサーチ動作、静止動作などの特殊再生して出力する場合について説明する。
これは、特殊再生の各動作モードが選択されることにより、マルチプレックスＲＦ切替回路５によって自動的にＤＶ出力側に切り替えられ、その後、前述したＤＶ信号出力手段と同様にしてＤＶ信号が出力される。これにより、現行のＤＶ機器と同様に高速再生等による画像確認が可能となる。
【００１８】
次に本例の記録トラックパターンで記録した磁気テープを現行ＤＶ機器で再生する場合について説明する。
上述のように記録したＤＶのＲＦ信号内のデータセクタは、現行ＤＶ方式に準拠するもであるため、ＳＤとＨＤのトラックセンタに対し、図５に示すように、現行ＤＶ方式によるサーボ制御動作を行なうことにより、５．  ５μｍのトラックをトレースできる。
すなわち、図５（Ａ）に示すように、現行ＤＶ機器の回転ドラム５００には、１８０度対向位置にそれぞれ１チップ型の磁気ヘッド装置５１０Ａ、５１０Ｂが設けられており、各ヘッドＳＤ（Ｅ）、ＳＤ（Ｏ）によって磁気テープ上のトラックをトレースする。各ヘッドＳＤ（Ｅ）、ＳＤ（Ｏ）のギャップ長は、図５（Ｂ）に示すように１２μｍであり、１度にＨＤとＳＤの２つのトラックをトレースすることになるが、アジマスの一致したＳＤのトラックだけを再生することができる。
【００１９】
以上のような本例の磁気記録再生装置によれば、主に以下のような効果を得ることが可能である。
（１）現行のテープに対しても高品位なＨＤのＭＰＥＧ圧縮信号と現行ＳＤのＤＶ圧縮信号を１本のテープ内に同時に記録することが可能となる。
（２）外部選択手段によって高品位なＨＤ信号と現行ＳＤ信号をリアルタイムで出力することが可能となる。
（３）特殊再生する場合に、自動的にＤＶのＲＦ信号に選択するため、各モードに対してかつ選択されたテープ速度に対して自由に動画を確認することが可能となる。
（４）現行ＤＶ機器で再生してもＳＤ信号が出力可能である。
（５）現行ＤＶ機器で再生しても記録したテープの内容が確認でき、誤って消去してしまうことを回避できる。
【００２０】
【発明の効果】
以上説明したように本発明の磁気記録再生装置によれば、第１磁気ヘッドと第２磁気ヘッドを用いてＨＤ方式のＭＰＥＧ圧縮信号の記録トラックとＳＤ方式のＤＶ圧縮信号による記録トラックが交互に配置された記録トラックパターンを形成するようにしたことから、現行のＤＶテープを使用してＨＤ方式のＭＰＥＧ圧縮信号とＳＤ方式のＤＶ圧縮信号の同時記録が可能となるとともに、再生時にはＨＤ信号とＳＤ信号をリアルタイムで出力することが可能となり、さらに、特殊再生時にも、現行のＤＶ機器と同様の再生が可能となり、画像変位等の確認を行うことができるという効果がある。
また、上述した記録トラックパターンで記録したＤＶ圧縮信号は、現行のＤＶ機器によってそのまま再生でき、高い互換性を得ることが可能となり、磁気テープの確認を容易に行えることから、必要なテープを不用意に消去するといったことも防止できる効果がある。
【図面の簡単な説明】
【図１】本発明の実施の形態例による磁気記録再生装置における各ヘッドによる記録トラックとＤＶテープ上の記録トラックパターンを示す説明図である。
【図２】図１に示す記録トラックパターンを実現するための回転ドラムのヘッド配置とトラックピッチを示す説明図である。
【図３】本発明の実施の形態例における磁気記録再生回路で用いるＨＤのＭＰＥＧのＲＦ信号と現行ＳＤのＤＶのＲＦ信号の１トラック内のデータセクタの構成を示す説明図である。
【図４】本発明の実施の形態例における磁気記録再生回路の構成例を示すブロック図である。
【図５】本発明の実施の形態例における磁気記録再生回路で記録した磁気テープを現行ＤＶ機器で再生する場合の原理を示す説明図である。
【符号の説明】
１、２……圧縮伸張回路、３、４……エンコーダ／デコーダ回路、５……マルチプレックスＲＦ切替回路、６……記録再生増幅回路、７、８……ＲＦバッファ回路、９……システム制御装置、１００……磁気テープ、１１０Ａ、１１０Ｂ……磁気ヘッド装置、１２０……回転ドラム。
【図１】
2004295957.tif 000003
【図２】
2004295957.tif 000004
【図３】
2004295957.tif 000005
【図４】
2004295957.tif 000006
【図５】
2004295957.tif 000007